(57)【要約】【課題】  作用を実施する際に機械運転中に操作者を支援する表示操作システム並びにそれに対応する方法を提供すること。【解決手段】  煙草加工産業における機械用の表示操作システムはスクリーン表示体（６１，６２，６３，．．．，８０）を表示する映像面装置（１３）と、スクリーン表示体に発生させてそれを映像面装置（１３）に出力し並びに操作者により実施できる作用を記憶するようプログラムされるデータ処理ユニット（３０）とを包含する。各記憶された作用は作動スクリーン表示体（６１，６２，６３，．）に指定されていて、作用スクリーン表示体の連続的表示が作動できる。データ処理ユニット（３０）において各記憶された作用に対して、この作用が必要であるか否かが可変に記憶でき、表示シーケンスが必要に応じて記憶されたすべての作用スクリーン表示体を包含する。出願の対象は対応する表示操作方法である。【特許請求の範囲】
【請求項１】
スクリーン表示体（６１，６２，６３，．．．，８０）を表示する映像面装置（１３）と、スクリーン表示体を発生させてその表示体を映像面装置（１３）に出力し且つ操作者により実施できる作用を記憶するようプログラムされるデータ処理ユニット（３０）とを備え、各記憶された作用が作用スクリーン表示体（６１，６２，６３，．）に指定されて、そして、作用スクリーン表示体の連続的表示が作動できる、煙草加工産業機械の表示操作システムにおいて、データ処理ユニット（３０）におけるあらゆる記憶された作用に対してこの作用が必要であるか否かが可変的に記憶でき、表示シーケンスが全体として必要な記憶されたすべての作用スクリーン表示体を包含することを特徴とする表示操作システム。
【請求項２】
表示シーケンスが動的に表示シーケンスの経過にて生じて且つ作用に関連した変更に依存していることを特徴とする請求項１に記載の表示操作システム。
【請求項３】
データ処理ユニット（３０）において各記憶された作用のために永久的に記憶でき、他の作用に当該作用が依存していることを特徴とする請求項１或いは２に記載の表示操作システム。
【請求項４】
作用と関連した変更によって変更に依存する作用が必要なものに設定されることを特徴とする請求項１乃至３のいずれか一項に記載の表示操作システム。
【請求項５】
作用は操作者によって選定できることを特徴とする請求項１乃至４のいずれか一項に記載の表示操作システム。
【請求項６】
作用スクリーン表示体の選択後に作動した表示シーケンスは選択された作用スクリーン表示体を包含することを特徴とする請求項５に記載の表示操作システム。
【請求項７】
すべての選択可能な作用は同時に選択できることを特徴とする請求項５或いは６に記載の表示操作システム。
【請求項８】
選択された及び／又は必要な作用スクリーン表示体並びにそれに依存する作用スクリーン表示体の予測リスト（７０）が表示できることを特徴とする請求項１乃至７のいずれか一項に記載の表示操作システム。
【請求項９】
予測リスト（７０）の表示は操作者の個別の要求で行われることを特徴とする請求項８に記載の表示操作システム。
【請求項１０】
表示シーケンスの作用スクリーン表示体の表示は作動によって直接に先行した作用スクリーン表示体に行われることを特徴とする請求項１乃至９のいずれか一項に記載の表示操作システム。
【請求項１１】
連続スクリーン表示体は現実作用を実施した後のみに作動され得ることを特徴とする請求項１乃至１０のいずれか一項に記載の表示操作システム。
【請求項１２】
作用を実施する結果として、この作用が不必要なものに設定されることを特徴とする請求項１乃至１１のいずれか一項に記載の表示操作システム。
【請求項１３】
各作用スクリーン表示体では、表示シーケンスは早期に終了できることを特徴とする請求項１乃至１２のいずれか一項に記載の表示操作システム。
【請求項１４】
必要なものとして記憶された作用は表示シーケンスの早期終了後に必要なものとして記憶され続けることを特徴とする請求項１３に記載の表示操作システム。
【請求項１５】
すべての作用が同時に不必要なものに再設定され得ることを特徴とする請求項１乃至１４のいずれか一項に記載の表示操作システム。
【請求項１６】
操作者によって実施され得るすべての作用が索引スクリーン表示体（８０）に表示され得ることを特徴とする請求項１乃至１５のいずれか一項に記載の表示操作システム。
【請求項１７】
操作者によって実施され得るすべての作用が単一索引リスト（１０）の形態に表示されていることを特徴とする請求項１６に記載の表示操作システム。
【請求項１８】
索引スクリーン表示体（８０）は複数の選定可能な作用目標を備える少なくとも一つの目標選択区画（４０；４１）を包含し、索引スクリーン表示体（８０）に表示された作用は任意の時間に選定された作用目標によって決定されることを特徴とする請求項１６或いは１７に記載の表示操作システム。
【請求項１９】
目標選択区画（４０）はブランド及び／又はファーマットの変更、機械調整或いは機械始動に関連して作用目標を選定するために設けられていることを特徴とする請求項１８に記載の表示操作システム。
【請求項２０】
目標選択区画（４１）は異なる機械領域と関連して作用目標を選定するために設けられていることを特徴とする請求項１８或いは１９に記載の表示操作システム。
【請求項２１】
作用スクリーンは表示シーケンスを表示し、データ処理ユニット（３０）に記憶された作用及び／又は索引スクリーン表示体（８０）に表示された作用は適当な順序で配列されていることを特徴とする請求項１乃至２０のいずれか一項に記載の表示操作システム。
【請求項２２】
操作者によって実施され得る作用を記憶するデータ処理ユニットを備えて、各記憶された作用が作用スクリーン表示体に付属され、映像装置にスクリーン表示体を表示する煙草加工産業機械の表示操作方法であって、シーケンスの作用スクリーン表示体を作動させる工程と、作動表示シーケンスの作用スクリーン表示体を表示させる工程を包含する表示操作方法において：
すべての記憶された作用に対して、この作用が機械運転のために現実に必要であるか否か可変的に記憶され、必要なものとして記憶されたすべての作用スクリーン表示体が表示シーケンスに表示されることを特徴とする表示操作方法。
【発明の詳細な説明】
【技術分野】
【０００１】
この発明は、スクリーン表示体を表示する映像面装置と、スクリーン表示体を発生させてそれ表示体を映像面装置に出力し且つ操作者により実施できる作用を記憶するようプログラムされるデータ処理ユニットとを備え、各記憶された作用が作用スクリーン表示体に指定され、そして作用スクリーン表示体の連続的表示が作動できる、煙草加工産業機械の表示操作システムに関する。さらに、この発明は対応する表示操作方法に関する。
【背景技術】
【０００２】
欧州特許出願公開第１２２５４９１号明細書（特許文献１）から、表示操作システムは公知であり、そのシステムにより操作者は煙草製造機械の構成変更を特にブランド変更或いはファーマット変更との関係で行うことができる。目標構成の選択後に構成変更に必要な作用のリストはスクリーン表示体（要約表示）で表示されている。これらリストからの第一作用により開始して、構成変更に必要な作用スクリーン表示体（詳細表示）の連続表示は一定順序で表示されている。  
【特許文献１】欧州特許出願公開第１２２５４９１号明細書
【発明の開示】
【発明が解決しようとする課題】
【０００３】
この発明の課題は、作用を実施する際に機械運転中に操作者を支援する表示操作システム並びにそれに対応する方法を提供することにある。
【課題を解決するための手段】
【０００４】
この発明は、この課題を独立請求項１と２２の特徴事項によって解決され、特にＥＤＶ（データ処理）−ユニットにおけるすべての記憶された作用に対して、この作用が必要であるか否かが可変的に記憶でき、表示シリーズが必要なものとして記憶された全作用スクリーン表示体を包含することによって解決される。
【０００５】
この発明によって、機械の問題のない運転を実施するか、又は維持するために、連続的に適当な順序で且つ省略なしに実施すべき作用の全作用スクリーン表示体が操作者に表示される。表示シリーズの個々の作用スクリーン表示体による操作者の明瞭な案内は操作者快適性の向上を招き、さらに誤操作の危険が減少される。特にこの発明は、操作者により選定された機械の構成変更に制限されない、これは先行技術の場合である。問題のない機械運転を実施するか、又は維持するために、例えば所定時点に所定作用を実施すべきであるときに、先行技術の適切な作用スクリーン表示体の表示は選定された構成変更用の表示シリーズにおいて維持されていない、というのは選定された構成変更用の作用スクリーン表示体が必要でない場合に、表示が行われないからである。それと反対に、この発明により必要なものとして記憶された作用は、操作者の主観的変更願望と無関係に機械の客観的実効状態を繰り返す。
【０００６】
「操作者により実施できる作用」との概念は幅広く理解すべきである。この場合に、機械或いは機械の部材における手動或いは機械的変更或いは調整或いは測定が重要である。さらに、例えば機械或いはブランドパラメータ或いはそのような操作作用を変更或いは調整するために、接触感受性スクリーンによるＥＤＶ−ユニット（データ処理ユニット）における入力が重要である。
【０００７】
ＥＤＶ−ユニットにおける作用の必要性の可変な記憶はこの発明の本質である。この記憶の変更性に基づいて、各時点で現実の必要な全作用の現実画像が得られ得る。特に、もはや必要でない作用を「必要としない」に設定するか、又は変更する好ましい可能性がある。
【０００８】
それ故に、表示シリーズの経過で生じる作用と関連する変更における表示シリーズの動力学的適合が特に好ましい。「作用と関連する変更」という概念は幅広く理解すべきである。この場合にスクリーン表示体における操作者の入力が重要である。機械装置の手動変更或いは調整が重要である。さらに、測定装置により自動的に検出され得る操作者の作用なしに生じる状態変更が重要である。この変更は特に作用の必要性の変更を導き得る。例えば作用スクリーン表示体が表示シリーズの経過で初めてもはや必要でないならば、その次の表示を放棄され得る。これは操作者の快適性を改良する、というのは操作者が不必要や、それ故に余分の作用スクリーン表示体と直面しないからである。表示シリーズの適合は、多数から可能な唯一の作用スクリーン表示体が表示されることにある、或いは表示すべき作用スクリーン表示体の表示を変更することにある。
【０００９】
可変的記憶は例えば作用が現実に必要であるか否かを表示する状態記憶変数を各作用に指定させることによって実現されている。けれども、これは唯一の可能な解決手段ではない。例えば、作用の配列或いは割振りによって知られた作用の必要性を異なる記憶領域に作ることが考慮できる。可変記憶は目的に適ってＲＡＭ，ハードデスクなどのような可変的記憶によって行われる。
【００１０】
煙草加工産業の機械は、フィルタ煙草製造機、フィルタ製造機、煙草貯蔵システム、煙草包装機、これら機械用の物質排出装置とこれら機械と連動した他の装置を包含する特に煙草製造機を包含する。
【００１１】
「スクリーン表示体」はスクリーンに再生される図解的表示を意味する。このために「スクリーンマスク」という概念が、使用される。スクリーンの定義された領域、例えば、所謂窓を簡略化できる。スクリーン表示体の全体は図解的利用者インターフェイスを形成する。
【００１２】
必要な作用スクリーン表示体とは、ＥＤＶ−ユニットにおいて「必要なもの」として記憶されている作用、つまり必要な作用が指定されている。例えばパラメータと関連する作用は、パラメータの実効値が目標値範囲から離れるときに、必要である。それ故に、測定値検出によって適切な作用（例えば「パラメータが変更する」）は、測定値が目標値範囲の外部に位置するときに、「必要とする」に設定される。最初に挙げた作用が依存している作用が必要とされる、或いは選定されるときに、或いは最初に挙げた作用と関連する変更が行われるときに、作用はさらに必要である。それ故に、好ましくは、作用が「必要とする」に設定される、作用が選定される、或いは作用と関連する変更が実施されるときに、この作用が必要とされるか否かの依存型作用の検査が行われ、場合によっては依存型作用の状態記憶量を「必要とする」に設定される。
【００１３】
目的に適って、必要な作用がこの作用の必要な実施或いは作業後に’必要ではない’に設定される。さらに、好ましくは、全必要作用を利用者インターフェイスによる実施或いは作業と無関係に’必要ではない’に設定する可能性が企図されている。そのようなリセットは例外的に必要とされ得る。好ましくは、利用者にとって、所定最適作用周期を少し骨折って無効にできるために、作用を必要ではないへの設定の別の可能性が企図されていない。特に好ましくは必要な作用は操作者による表示シリーズの起こり得る早期決定後にさらに必要とされ、それによって次の表示シリーズで表示される、というのは問題のない運転が依然としてこの作用の実施に依存するからである。
【００１４】
この別の作用と関連する変更が通常には最初に挙げられた作用を必要とされるときに、作用が別の作用に依存する。（他の作用と関連する変更が最初に挙げられた作用を実際に必要とされる；例えば僅かな変更が依存型作用を必要としなく、それに対して大きな変更がこの種の作用を必要とすることは、強制的に必要とされない。）全作用の相互依存性は所定機械にもともと確定している、或いはこの相互依存性は機械の運転中では変更できる。それ故に、全作用の相互依存性は一定記憶量、例えば記憶定数としてメモリーに記憶され得る。相互依存性は一定メモリーであるが、しかし可変的メモリーにも記憶され得る。必要性を記憶する相違点は、相互依存性が機械運転中に変更されないことにある。
【００１５】
表示シリーズの所定時点で、現実の或いは次の作用スクリーン表示体において実際の変更が行われ、それ故に、依存型作用が実際に必要とされるか否かを確定していないので、潜在的に必要な作用の数、即ち必要で且つ選定された作用がそれに依存する作用を含めて通常には表示シリーズの経過に実際に必要な作用の数より多い。これら潜在的に必要な作用は、操作者に潜在的に作業する全作用を与える予測リストの形態において表示され得る。例えば選定された作用が変更されないならば、それに依存する作用は必要とされず、次に引き続いて発生された予測リストにもはや含有されていない。
【００１６】
特に好ましい実施態様では、作用が操作者により選定できる。例えば適切な作用はブランド変更、フォーマット変更、機械の最初の始動或いは再始動の際に実施される。この場合に目的に適ってー必要な作用スクリーン表示体に加えてー操作者により選定された作用スクリーン表示体は、それが必要なものとして記憶されない場合にも、表示シリーズに表示されている。
【００１７】
特に、作用スクリーン表示体は表示シリーズの内部で、操作者に労力を出来るだけ僅かに維持するためにこの作用の年代順の実施から生じる好ましい順序で表示される。例えば作用は別の作用と依存するならば、目的に適って依存性作用スクリーン表示体が他の作用スクリーン表示体後に初めて表示される、というのは他の場合に依存性作用スクリーン表示体が繰り返して表示されなけばならなかったからである。
【００１８】
表示操作システムは目的に適って相互作用である。それ故に、操作者によりシステムへ情報を入力するために、目的に適って入力装置が設けられている。この入力装置は、例えば接触感受性スクリーンが重要であるときに、映像面装置自体に実現され得る。
【発明を実施するための最良の形態】
【００１９】
この発明のこれ以上の特徴と実施態様は、従属請求項とこの発明の次の説明から添付図面を参照して判明される。  
【実施例】
【００２０】
煙草製造機３１は例えばパーソナルコンピュータを包含して図解的スクリーン表示体８０，６１，６２，６３，．．．を表示するために接触感受性映像面装置１３と連結されているＥＤＶ−ユニット３０と連結されている。煙草製造機３１の測定データはＥＤＶ−ユニット３０を介して映像面装置１３に表示される。逆に端子として形成された映像面装置１３に入力したデータはＥＤＶ−ユニット３０を介して煙草製造機３１にこの煙草製造機を制御するために転送される。
【００２１】
ＥＤＶ−ユニット３０のパーソナルコンピュータでは、或いはデータバンクでは、内部作用表５０は記憶されている。内部作用表５０の各行５１，５２，５３，．．．には操作者により実施できる作用が指定されている。その際に図１は通常には百以上の作用を包含する全内部作用表５０の詳細を示す。各行５１，５２，５３，．．．は一列の区画５１０，５１１，５１２，．．．；５２０，５２１，５２２，．．．；５３０，５３１，５３２，．．．；．．．を有する（図１には列５３，５４，．．．の区画は明瞭性の理由からもはや記載されない）。第一欄の区画５１０，５２０，５３０，．．．は通し番号を包含する。第二欄の区画５１１，５２１，５３１，．．．は指定した作用の表示、例えば区画５１１「過剰センサーの目盛を決める」，５２１「煙草ロッド長さを調整する」，５３１「目標煙草重量を調整する」，５４１「過剰制御モードを設定する」，５５１「目標過剰値を調整する」，５６１「全煙草量を調整する」，５７１「接近修正を調整する」，５８１「過剰測定を調整する」などを包含する。第二欄の区画５１２，５２２，５３２，．．．は各作用により包含される個々の作用要素に対する情報を含有する。例えば行５１「過剰センサーの目盛を決める」の作用は多数の個々の機械パラメータの調整に関する。第四欄の区画５１３，５２３，５３３，．．．は各作用から他の作用まで後で解説される依存性を含有する。第五欄の区画５１４，５２４，５３４，．．．は、適切な作用が必要であるか否かの可変的記号表記或いは記憶体を含有する。この際に記入「１」は「必要とする」を意味し、記入「０」は「必要としない」を意味する。内部作用表５０の第六、第七と第八欄は後で説明される。内部作用表は更なる欄を有し得る、或いは図１に示された欄を（例えば第一或いは第三欄）を放棄される。
【００２２】
図１の例では、行５２，５６と５７に指定された作用が必要である。それ故に、表示シリーズの作動の際に一致する作用スクリーン表示体６２，６６，６７は表示される。好ましくは、内部作用表５０内の作用は好ましい実施の順番に配置されている。それ故に、まず最初に作用「煙草ロッド長さを調整する」（行５２）に指定された図３に例として示された作用スクリーン表示体６２は表示される。これは適切なパラメータ「煙草ロッド長さ」とそのために記憶された目標値の記述を持つ表示区画６２１、入力領域６２３に値を入力する多数のキーボード６２２、調整すべき値の上下限界を表示する表示区画６２４、予め調整された値を入力領域６２３に入力するスイッチ面６２５を包含する。キーボード６２２の表示は必要に応じてのみ作動できる。作用スクリーン表示体６２には、場合によっては、追加的情報、例えば中味機密補助手段、機械の図解的表示に該当した領域などが表示され得る。  
【００２３】
行５２の作用が操作者によって実施される、つまり煙草ロッド長さが調整されたならば、区画５２４は「０」に、即ちもはや必要としないに設定される；スイッチ面６２６「さらに」は、内部作用表５０の行５６に指定されている次の必要な作用スクリーン表示体６２の表示を導く。適切な作用「全煙草量を調整する」の実施後に、区画５６４は「０」に、即ちもはや必要としないに設定され、（図示されていない）作用スクリーン表示体６６におけるスイッチ面「さらに」の操作によって内部作用表５０の行５７に指定されている次の作用スクリーン表示体６７が表示されている。この方法では、図２に示されるように、必要な作用スクリーン表示体６２，６６，６７のシリーズは有効な加工順番に表示される。
【００２４】
この作用スクリーン表示体に指定された作用が操作者により実際に実施されるときに、作用スクリーン表示体におけるスイッチ面「引き続く」の操作が可能であることが企図されている。次に、スイッチ面「引き続く」は不作動としてこの作用を実施するまで例えば暗いタイプの代わりに明るいタイプによって図示されている。これは特に必要な作用スクリーン表示体に関し得る。
【００２５】
好ましくは、各作用スクリーン表示体はスイッチ面「引き続く」を有する。この方法では、表示シリーズは所定の明瞭な方法で進行される。好ましくは、図２の例に、実質的に各作用スクリーン表示体６２，６６は正確に直接に連続的作用スクリーン表示体６６或いは６７に明瞭に指定されている。「実質的に」とは、表示シリーズの最後作用スクリーン表示体６７にまでであり、これは適用とされる必要がない。けれども、作用スクリーン表示体には利用者に直接連続的作用スクリーン表示体の二つ或いは多数の選択物が提供されることが考慮できる。一般に、直接連続的作用スクリーン表示体の作動は「引き続く」スイッチ面によるものと別の方法でも行われる。
【００２６】
スイッチ面６２８「終了」の操作は表示シリーズを早期に終了する。例えば表示シリーズの作動前に表示されたスクリーン表示体への戻しは行われることができる。図１，２の例では、作用スクリーン表示体６２における表示シリーズが早期に終了されるので、作用スクリーン表示体６６，６７は必要なものとして記憶されたままである。内部作用表の第五欄のこの注目特性は、これが機械の実効状態を記載し、適切な作用が依然として問題のない機械運転のために必要である事実によって関連されている。それ故に、連続作動表示シリーズは依然として必要な作用スクリーン表示体６６，６７を包含するだろう。
【００２７】
各先行作用スクリーン表示体に戻すために、例えば入力を修正するために、スイッチ面「戻り」が設けられ得る。適切なスイッチ面「戻り」の繰り返し操作によって任意の先行作用スクリーン表示体が達成され得る。他の実施態様では、明白な操作者ガイドのためにスイッチ面「戻り」が放棄され得る。
【００２８】
図５に示された状態では、行５２に指定された作用が必要であり、その間に図１との相違では、行５６，５７に指定された作用が必要ではない（区画５６４，５７４が「０」に設定されている）。区画５６３にはーここで数字「２」によって、行５６の作用がなかんづく行５２の作用に依存することがしっかりと記憶される。これは、作用「煙草ロッド長さを調整する」と関連する変更、ここで特にパラメータ「煙草ロッド長さ」の調整が通常には作用「全煙草量を調整する」を必要とすることを意味する。区画５７３における数字「６」は、行５７の作用「始動修正を調整する」が行５６の作用「全煙草量を調整する」に依存することを示す。図５に示された状態には、即ち作用スクリーン表示体６２の表示前或いは表示中に行５６，５７の作用は、作用５２と関連する変更が必要でない限り、確かに必要ない。けれども、作用５２と関連する変更後に、ここで特にパラメータ「煙草ロッド長さ」の調整後に行５６，５７の作用は必要とされ得る。これはコンピュータプログラムによって検査され、場合によっては、行５６，５７の作用は必要なものに設定され、即ち、区画５６４，５７４は「１」に設定されている。けれども、作用５２と関連する変更が行われない、即ちパラメータ「煙草ロッド長さ」が作用スクリーン表示体６２において変更されないままであり、その代わりにスイッチ面６２６「引き続く」が操作され、次に行５６，５７の依存作用は必要でなく、それ故に、区画５６４，５７４は「０」に設定され、作用スクリーン表示体６６，６７の連続表示を放棄され得る（その代わりに例えば作用スクリーン表示体６６，６７を明白に認識できるメモ「必要ではない」によって表示シリーズで表示することも考慮できるので、作用スクリーン表示体６６，６７では単に「引き続く」スイッチ面を操作するだろう）。
【００２９】
前もって述べた後に、図５に示された状態では、行５６，５７の作用は潜在的に必要である、というのは行５６，５７の作用は先行作用と関連する変更を行った後に通常は必要とされるか、或いは必要とされないからである。好ましくは、現実に必要且つ潜在的に必要である全作用の予測リストが表示され得る。作用スクリーン表示体６２には、予測リスト７０はスイッチ面６２９「予測」の操作によって表示され得る。図３には、予測リスト７０は、この予測リスト７０が好ましくは一時的にのみ操作者の要求に応じて例えばポップアップ区画として表示されることを示すために点線で示されている。この予測リスト７０は行６６，６７の潜在的に必要な作用の行６２の必要な作用を記載する区画７２，７６，７７を包含する。区画７２，７６，７７の中味は例えば内部作用表５０の第二欄、ここでは区画５２１，５６１，５７１から採用され得る。好ましくは、各作用スクリーン表示体がスイッチ面「予測」を有する。
【００３０】
作用５２と関連する変更が行われない、例えば作用スクリーン表示体６２に変更できる機械パラメータ（ここでは「煙草ロッド長さ」）が変更されないままであり、その代わりにスイッチ面６２６「さらに」が操作し、次に区画７２，７６，７７のない連続作動展望リストを包含する、というのは行５６，５７の作用が必要とされなかった間に行５２の作用を受けて、それ故に、もはや必要としないからである。この予測リストは空にできた。
【００３１】
図１に示された状態には、同様に図６に示された予測リスト７０が表示される。
【００３２】
図７に示された索引スクリーン表示体８０は多数の行１１，１２，１３．．．，をもつ索引リスト１０を包含し、この際に各行には実施可能な作用が指定されている。索引リスト１０の長さに応じて索引リスト１０の表示領域を移動する回転枠８１（スクロールバール）が設けられ得る。索引リスト１０には、個々の或いは複数の作用が操作者によって選定され得る。スクリーン装置１３が接触感受性スクリーンであるならば、個々の作用の選択は索引リスト１０の選択すべき行の軽い接触によって行われ得る。スイッチ面８３によって索引リスト１０の全作用が選択され得る；それによって簡単な方法で、実施すべき全作用が表示シリーズに包含されていることが保証され得る。操作者により与えられた情報はＥＤＶ−ユニットによって処理される。選択された作用は、その作用がまだ必要とするに設定されていない場合には、内部作用表５０の第五欄には「選択された」に設定される（数字「２」、図９を参照）；’必要とする’に設定された選定作用は’必要とする’に設定されたままである。個々の行の選択は操作者にとって認識可能に操作され、例えば図解的強調によって操作される。図７の例では、行１２が選択されている。
【００３３】
図７にはスイッチ面８２「支援」が操作されるならば、作用スクリーン表示体の連続的表示が開始される。この表示シリーズは内部作用表５０（図９参照）で’必要とする’として且つ選択されたとして記憶された作用を包含する。それ故に、図７，９に示された例には、表示シリーズの始動の際に少なくとも作用スクリーン表示体６１と６２が表示シリーズに包含されていた（図１０Ｂ参照）。行５１の作用と関連する変更の場合には、表示シリーズはさらにそれに依存する（内部作用表の区画５８３における数字「１」を参照）作用スクリーン表示体６８を包含する。行５２の作用と関連する変更の場合には、表示シリーズはさらにそれに依存する作用スクリーン表示体６６，６７を包含する。潜在的に必要な全作用が表示シリーズの経過において実際に必要とされたならば、図１０Ａに示された最大表示シリーズが生じる。予測リスト７０は、索引スクリーン表示体８０にスイッチ面８４「予測」によって表示でき、図１１に示された形状を有するだろう。この予測リスト７０は、特に行５６，５７或いは５８の潜在的に必要な作用が実際に必要とされないときに表示シリーズの経過において変更され得て、そして、適切な作用スクリーン表示体６６，６７或いは６８と区画７６，７７或いは７８は表示シリーズの経過における予測の際に省略され得る。
【００３４】
図１０から明らかなように、表示シリーズの個々の作用スクリーン表示体の全数は作用と関連する表示シリーズの経過において生じる変更に依存する。
【００３５】
表示シリーズの早期終了の際には、選択されたに設定された作用（図９における数字「２」）は必要とされない（数字「０」）に再設定される間に必要とするに設定されたままである。次に、例えば索引スクリーン表示体８０が表示され得る。一般に、表示シリーズの開始前に表示されたスクリーン表示体への戻しが行われ得る。表示シリーズが他のスクリーン表示体から作動できるので、これは索引スクリーン表示体８０を必要としない。表示シリーズの自動的作動は所定事件の結果として用意される。索引スクリーン表示体８０におけるスイッチ面８５によって必要とするに設定された全作用は内部作用表５０の第五欄に必要とされない（数字「０」）に設定される。
【００３６】
索引リスト１０の作用は好ましくは適切な加工順序に配置されている。この索引リスト１０は索引リスト１０に表示された各作用の状態を表示するために内部作用表の第五欄に一致する別の欄を有する。明瞭性の理由から、この欄の表示を放棄され得る。
【００３７】
索引スクリーン表示体８０は特にブランド変更或いはファーマット変更と関連した作用の実施、機械の最初運転開始、例えば修理後の再運転開始、及び／又はブランド変更と無関係の機械調整の際に操作者を支援するのに役立つ。この目的のために、まず最初に操作者により主として実施できる全作用は唯一のスクリーン表示体の内部の単一的索引リスト１０、即ち索引スクリーン表示体８０の形態に表示できる。この特徴事項はこの出願を先行技術と区別するのに適し、それ故に場合によっては自主的に、即ち請求項１の上位概念に関連してのみ請求できる。  
【００３８】
索引スクリーン表示体８０には、操作者によって作用目標を選択する目標選択区画４０と４１が設けられており、その区画によって索引リスト１０に表示された作用は選択された作用に指定された所定作用に制限できる。目標選択区画４０と４１の各々はスイッチ面４３を有し、そのスイッチ面の操作が指定した目標選択リスト４４，４５を表示するのを招く。この目標選択リスト４４，４５はそれぞれに多数のリスト区画４４０，４４１，４４２，．．．；４５０，４５１，４５２，．．．を包含する。例えばリスト区画４４０，４４１，４４２，．．．；４５０，．．．の軽い接触によって、このリスト区画に表示した作用目標は目標選択リスト４４，４５のそれぞれの目標選択区画４４０，４５０に一致されて、それにより選択される。
【００３９】
目標選択リスト４４は例えば作用目標「ブランドと機械調整」（特に初期運転開始），「ブランドとファーマットの変更」，「ファーマット変更なしのブランド変更」，「修理後の再運転開始」を包含する。作用目標「ブランド変更」の選択によってその作用のみが索引リスト１０に表示され、その索引リストは所望の煙草ブランドへの交換のために必要とされている。領域「機械調整」の選択によってブランドと無関係な機械調整作用のみが索引リスト１０に表示される。
【００４０】
目標選択リスト４５は異なった機械領域に関し、例えば作用「全機械」，「分配機」，「連続体成形ユニット（ロッド成形機）」，「フイルタ装着機」，「紙供給部」，「印刷機構」を包含する。これら作用目標の一つの選択によってその作用のみが選択された機械領域に関する索引リスト１０に表示される。この作用目標「全機械」は目標選択リスト４５の残りの作用目標の全体を包含する。それ故に、この作用目標「全機械」は熟練された操作者に展望表示を得させて、それで追加的操作工程を実行しなけばならない、或いは多数の階層的に構成されたスクリーン表示体によって作業しなけばならないことなしに、適切な作用に迅速なアクセスを与える。僅かに熟練された操作者にとって、索引リスト１０に表示された作用を例えば目標選択リスト４５の機械領域の選択によって限定することは、より見通しできる。同様なことが作用目標「ブランドと機械調整」に関連して目標選択リスト４４に適用される。
【００４１】
さらに示されていない目標選択リストは機械に関連して所定事件に関連して設けられ得る。適切な作用目標の一つの選択後にその作用のみが選択された事件後に必要である索引リスト１０に表示されている。所定事件の選択は、行われる修理の種類をより正確に特定するために、特に作用目標「修理後の再運転開始」との関係で目標選択リスト４４から有効である。それ故に、特に、目標選択リスト４４では領域「修理後の再運転開始」が選択されるときにのみ、前記目標選択リストが示され得る。他の実施態様では、前記目標選択リストと適切な目標選択区画を放棄される。
【００４２】
内部作用表５０の第六から第八まで、場合によってはその外の欄には、例えばそれぞれの目標選択リスト及び／又はそれぞれの作用目標への作用の指定がしっかりと記憶され得る。
【００４３】
上述によると、目標選択リスト４４，４５の異なった作用目標は索引リスト１０に表示すべき作用のフイルタを意味する。それ故に、目標選択区画４０，４１の作用目標の選択を結合する、例えば目標選択区画４０における「ブランド変更」と目標選択区画４１における「連続体成形ユニット」を結合することは可能であり、それは索引リスト１０における連続体成形ユニットを関連してブランド変更に必要な作用の表示を導く。
【００４４】
目標作用の選択後にそれぞれの目標選択リスト４４，４５の表示が再び非作動にされるので、それぞれに目標選択区画４４０，４５０はそれぞれに選定された作用目標により表示されたままである。好ましくはいつも一つの目標選択リスト４４，４５が同時に作動され得る。目標選択リスト４４，４５の一方が作動されるならば、それによって索引リスト１０は部分的に覆われ得る（例えば図７に示された配列には）。それ故に、索引リスト１０は少なくとも部分的に見ることができる。それによって操作者の便利性は考慮されていない、というのはそれぞれの目標選択リスト４４，４５の表示は再び非作動にされて、索引リストが再び覆われていないからである；索引リスト１０はつまりいつも一部のみ短時間のみに覆われる。選択的に目標選択区画４０，４１は、索引リスト１０がそれぞれに作動された目標選択リスト４４，４５では完全に覆われないままである（図７において例えば目標選択区画４０，４１の上部の目標選択リスト４４，４５によって）ように配置されている。
【００４５】
上述によると、索引リスト１０も、少なくとも一つの目標選択区画４０，４１も同じ索引スクリーン表示体８０に配置されている。それ故に、目標選択区画４０，４１も、索引リスト１０も索引スクリーン表示体８０に少なくとも部分的に共通に或いは同時に操作者に見ることができる。索引リスト１０の中味は、スクリーン表示体の場合によっては混乱する変更が行われることなしに、目標選択区画４０，４１に選択された作用目標に依存して変更する。作用目標の選択後に目標選択区画４０，４１は索引スクリーン表示体８０に見ることができるので、労力なしに他の作用目標の新たな選択が行われ得る。この方法では異なった作用目標のために迅速に且つ見通し可能にそれぞれの実施すべき作用或いは関連した調整に関する見通しが得られ得る。
【００４６】
好ましくは、索引リスト１０と目標選択区画４０，４１の配置と構成は索引スクリーン表示体８０において実質的に変更されていないので、操作者が索引スクリーン表示体８０を各場合に索引リスト１０と目標選択区画４０，４１に関して単一的スクリーン表示体として利用する。
【００４７】
索引リスト１０の表示は、表示シリーズの終了後に、表示に既に実施された作用を放棄される、或いはこの作用が操作者にとって既に実施されたとして記録されることに反して、実現され得る。
【図面の簡単な説明】
【００４８】
【図１】内部作用表の概略図を示す。
【図２】図１に示された作用表に一致する作用スクリーン表示体の表示シリーズの概略図を示す。
【図３】作用スクリーン表示体の概略図を示す。
【図４】煙草加工産業の機械用の表示操作システムの概略図を示す。
【図５】内部作用表の別の概略図を示す。
【図６】図１或いは図５に示された作用表に一致する予測リストを示す。
【図７】索引スクリーン表示体の概略図を示す。
【図８】作動した状態における図７に示された索引スクリーン表示体の目標選択区画の概略図を示す。
【図９】図７に示された索引リストに一致する内部作用表の概略図を示す。
【図１０】図９に示された作用表に一致する作用スクリーン表示体の最小と最大表示シリーズの概略図を示す。
【図１１】図９に示された作用表に一致する予測リストを示す。
【符号の説明】
【００４９】
１０．．．．．索引リスト
１３．．．．．映像面装置
３０．．．．．データ処理ユニット
３１．．．．．煙草製造機
４０．．．．．区画
４１．．．．．区画
５０．．．．．内部作用表
６２．．．．．作用スクリーン表示体
６６．．．．．作用スクリーン表示体
６７．．．．．作用スクリーン表示体
７０．．．．．予測リスト
８０．．．．．索引スクリーン表示体
８２．．．．．作用スクリーン表示体
【図１】
2007516482.tif 000002
【図１】
2007516482.tif 000003
【図２】
2007516482.tif 000004
【図３】
2007516482.tif 000005
【図４】
2007516482.tif 000006
【図５】
2007516482.tif 000007
【図６】
2007516482.tif 000008
【図７】
2007516482.tif 000009
2007516482.tif 000010
【図９】
2007516482.tif 000011
2007516482.tif 000012
【図１１】
2007516482.tif 000013
【国際調査報告】
2007516482.tif 000014
2007516482.tif 000015
2007516482.tif 000016
2007516482.tif 000017
2007516482.tif 000018
2007516482.tif 000019